(57)【要約】  【目的】  本発明は、直線状あるいはＬ字状に連結された複数枚の間仕切りパネルの端部あるいはコーナ−部に取付けられ、引き戸状に引き延ばされたり互いに重ね合わされたりして、出入口を開閉可能としたスライドパネルの閉鎖状態を維持するスライドパネルの仮施錠装置に関する関するものであり、間仕切りパネルをスライドパネルに転用でき、しかも、スライドパネルに施錠機能を簡単に付加することが出来るスライドパネルの仮施錠装置を得る事目的とする。    【構成】  間仕切りパネルのアジャスターに代えて固定キャスターを取付けて構成され、間仕切りパネルと平行にスライドし、出入口を開閉可能としたスライドパネルの開放側端面に、ロックユニットを着脱自在となし、スライドパネルが閉鎖状態でロック杆が位置する個所に対応して、間仕切りパネルの所定位置にロック座を着脱自在に設ける事により、ロック杆をロック座に係脱自在としたものである。  【選択図】  図２
2005127076.tif 000002
【特許請求の範囲】
【請求項１】
間仕切りパネルのアジャスター取付位置に固定キャスターを取付けて構成され、間仕切りパネルと平行に移動し、出入口を開閉可能としたスライドパネルの開放側端面に、ロック杆とロック杆の操作部を内蔵したロックユニットを着脱自在となし、スライドパネルが出入口を閉鎖した時にロック杆が位置する個所に対応して、間仕切りパネルの所定位置にロック座を着脱自在に設ける事により、ロック杆をロック座に係脱自在としたことを特徴とするスライドパネルの仮施錠装置。
【請求項２】
間仕切りパネルのアジャスター取付位置に固定キャスターを取付けて構成され、間仕切りパネルと平行に移動し、出入口を開閉可能としたスライドパネルの開放側端面に、ロック杆とロック杆の操作部を内蔵したロックユニットを間仕切りパネルの連結金具をもって着脱自在となし、スライドパネルが出入口を閉鎖した時にロック杆が位置する個所に対応して、間仕切りパネルの所定位置にロック座を着脱自在に設ける事により、ロック杆をロック座に係脱自在としたことを特徴とするスライドパネルの仮施錠装置。
【請求項３】
間仕切りパネルのアジャスターの代わりに固定キャスターを取付けて構成されたスライドパネルを間仕切りパネルと平行に立設し、スライドパネルの上面に外嵌する上部倒れ止め金具を、間仕切りパネルの上面に着脱自在に設ける一方、スライドパネルの下面に外嵌する下部振れ止め金具を、間仕切りパネルの下面で、前記固定キャスター間に位置するよう間仕切りパネルの下面に着脱自在に設け、間仕切りパネルに対しスライドパネルを所定範囲で移動可能となすと共に、スライドパネルの開放側端面に、ロック杆とロック杆の操作部を内蔵したロックユニットを間仕切りパネルの連結金具をもって着脱自在とし、スライドパネルが出入口を閉鎖した時にロック杆が位置する個所に対応して、間仕切りパネルの所定位置にロック座を着脱自在に設ける事により、ロック杆をロック座に係脱自在としたことを特徴とするスライドパネルの仮施錠装置。
【発明の詳細な説明】
【技術分野】
【０００１】
本発明は、直線状あるいはＬ字状に連結された複数枚の間仕切りパネルの端部、あるいは、コーナー部に取付けられ、引き戸状に引き延ばされたり、あるいは互いに重ね合わされたりして、出入口を開閉可能としたスライドパネルの閉鎖状態を維持するスライドパネルの仮施錠装置に関するものである。
【背景技術】
【０００２】
執務空間をセクション別に区画したり、個人のワークステーションを構成したり、あるいはコミュニケーション空間を構成したりする間仕切りパネルは、使用される空間の環境に適応するよう、多様な機能、サイズ、色、形状のものが提供されている。
そして、構成された空間をさらに必要に応じて手軽に区画したり、あるいは、区画された空間を開放することで、間仕切りパネルによって区画された空間内を種々の使い方ができる機能を有するものとして、各間仕切りパネルを引き戸式に略直線上に引き延ばしたり、重ねた状態に縮めたりたりすることが出来るものが提供されている。（例えば、特許文献１参照。）
【０００３】
しかしながら、上記構成のものは、直線上に引き延ばした状態を維持する機能（施錠装置）を有していないため、不意な人の出入りを防ぐことができず、更衣室等の出入口には使用できなかった。
一方、間仕切りパネルによって区画された空間の出入口に施錠装置を有する引き戸を取付けて、更衣室等を構成したものは周知であるが、施錠装置は引き戸に内蔵されているため、間仕切りパネルと異なった構成となるので、間仕切りパネルと引き戸に転用することは出来ず高価なものとなっていた。
【０００４】
【特許文献１】特開２００２−１４６９５０１号公報
【発明の開示】
【発明が解決しようとする課題】
【０００５】
本発明は、間仕切りパネルを必要に応じて現場でスライドパネルに転用でき、しかも、使用される場所に対応して、このスライドパネルに施錠機能を簡単に付加することが出来るスライドパネルの仮施錠装置を得る事を課題とする。
【課題を解決するための手段】
【０００６】
そこで、上記課題を解決する為、本発明が第１の手段として構成したところは、間仕切りパネルのアジャスター取付位置に固定キャスターを取付けて構成され、間仕切りパネルと平行に移動し、出入口を開閉可能としたスライドパネルの開放側端面に、ロック杆とロック杆の操作部を内蔵したロックユニットを着脱自在となし、スライドパネルが出入口を閉鎖した時にロック杆が位置する個所に対応して、間仕切りパネルの所定位置にロック座を着脱自在に設ける事により、ロック杆をロック座に係脱自在としたものである。
【０００７】
次に、本発明が第２の手段として構成したところは、間仕切りパネルのアジャスター取付位置に固定キャスターを取付けて構成され、間仕切りパネルと平行に移動し、出入口を開閉可能としたスライドパネルの開放側端面に、ロック杆とロック杆の操作部を内蔵したロックユニットを間仕切りパネルの連結金具をもって着脱自在となし、スライドパネルが出入口を閉鎖した時にロック杆が位置する個所に対応して、間仕切りパネルの所定位置にロック座を着脱自在に設ける事により、ロック杆をロック座に係脱自在としたものである。
【０００８】
本発明が第３の手段として構成したところは、間仕切りパネルのアジャスターの代わりに固定キャスターを取付けて構成されたスライドパネルを間仕切りパネルと平行に立設し、スライドパネルの上面に外嵌する上部倒れ止め金具を、間仕切りパネルの上面に着脱自在に設ける一方、スライドパネルの下面に外嵌する下部振れ止め金具を、間仕切りパネルの下面で、前記固定キャスター間に位置するよう間仕切りパネルの下面に着脱自在に設け、間仕切りパネルに対しスライドパネルを所定範囲で移動可能となすと共に、スライドパネルの開放側端面に、ロック杆とロック杆の操作部を内蔵したロックユニットを間仕切りパネルの連結金具をもって着脱自在とし、スライドパネルが出入口を閉鎖した時にロック杆が位置する個所に対応して、間仕切りパネルの所定位置にロック座を着脱自在に設ける事により、ロック杆をロック座に係脱自在としたものである。
【発明の効果】
【０００９】
請求項１に記載の発明によると、アジャスターに代えてキャスターを取付けることで、間仕切りパネルをスライドパネルに転用することが出来、キャスターを水平方向に回動しない固定式のものとしたことにより、スライドパネルが固定キャスターに支持された状態で移動方向が一定するので、間仕切りパネルと平行に移動させることが可能となり、ロック杆とロック杆の操作部をロックユニットに内蔵し、スライドパネルとは別部材として構成し、スライドパネルに着脱自在としているので、施錠機能を必要とする場所でスライドパネルを使用するときにのみ、ロックユニットをスライドパネルの開放側端部に、ロック座を間仕切りパネルに、現場で取付けるだけで、施錠機能を付加することができる。
又、区画された空間の使用形態が変わった時（例えば、会議室を更衣室にかえる場合等
）でも、ロックユニットだけを後で取付けることにより、広汎な使用が可能となる。
【００１０】
請求項２に記載の発明によると、請求項１の発明の効果に加え、間仕切りパネルの連結金具を使用して、ロックユニットをスライドパネルに着脱自在としているので、安価に提供できる。
請求項３に記載の発明によると、請求項１の発明の効果に加え、上部倒れ止め金具と下部振れ止め金具はスライドパネルが倒れることを止める機能を満たすだけの金具であるから、スライドパネルの上面と下面に外嵌する簡単な構造にすることが出来、結果として安価に製作出来る。
さらに、下部振れ止め金具を固定キャスター間に位置して間仕切りパネルに取付けているので、キャスター間の寸法から下部振れ止め金具の開閉方向の寸法を差し引いた寸法をスライドパネルの移動幅とし、固定キャスターと下部振れ止め金具を当接させることでスライドパネルの開閉方向への移動のストッパーとすることが出来るので、さらに構造が簡素となる。
又、下部振れ止め金具はスライドパネルの下方から外嵌しているので、間仕切りパネルに下部振れ止め金具を取付けた状態で、スライドパネルを持ち上げて下面を嵌合させれば、下部振れ止め金具をスライドパネルの下面に外嵌させることができ、そして、上部倒れ止め金具を上方から嵌合できるので、間仕切りパネルへのスライドパネルの連結作業が非常に容易である。
【発明を実施するための最良の形態】
【００１１】
間仕切りパネルのアジャスターの代わりに固定キャスターを取付けて構成されたスライドパネルを間仕切りパネルと平行に立設し、スライドパネルの上面に外嵌する上部倒れ止め金具を、間仕切りパネルの上面に着脱自在に設ける一方、スライドパネルの下面に外嵌する下部振れ止め金具を、間仕切りパネルの下面で、前記固定キャスター間に位置するよう間仕切りパネルの下面に着脱自在に設け、間仕切りパネルに対しスライドパネルを所定範囲で移動可能となすと共に、スライドパネルの開放側端面に、ロック杆とロック杆の操作部を内蔵したロックユニットを間仕切りパネルの連結金具をもって着脱自在とし、スライドパネルが出入口を閉鎖した時にロック杆が位置する個所に対応して、間仕切りパネルの所定位置にロック座を着脱自在に設ける事により、ロック杆をロック座に係脱自在としたものである。
【実施例１】
【００１２】
図１は、本発明を使用した間仕切り用のパネルの斜視図を示している。
符号１・・・は間仕切りパネルを示し、符号６はスライドパネルを示し、符号５はロックユニットを示している。
間仕切りパネル１は、図６に示すように、アルミ材の押出し成形により形成された上枠１１、下枠１２と、アルミ材の押出し成形により形成された左右の縦枠１３、１３と、上枠１１、下枠１２、左右の縦枠１３、１３の各端部を連結するアルミ材より成形された上下左右のコーナー金具２・・・と、上枠１１と下枠１２と左右の縦枠１３、１３間の表裏両面にペーパーハニカム１５を介して圧着された表面板１６・・・（図５）等より構成されている。
【００１３】
上枠１１は、上縁部１１１と、上縁部１１１の下方に突出して形成された表面板上支持突部１１４よりなり、上表面板上支持突部１１４内部が空洞とされ、空洞の左右端部を左右の上側のコーナー金具２、２の一部が圧入嵌合する上側の圧入嵌合孔１１６、１１６としている。
【００１４】
下枠１２は、上枠１１の一部を加工して形成され、上枠１１と上下対称に配設されている。
すなわち、下枠１２は、下縁部１２１と、下縁部１２１の上方に突出して形成された表面板下支持突部１２４よりなり、表面板下支持突部１２４の内部が空洞とされ、空洞の左右端部を左右の下側のコーナー金具２、２の一部が圧入嵌合する下側の圧入嵌合孔１２６、１２６とし、下縁部１２１の所定位置にアジャスター２００、又は、キャスター３００の取付孔１２９、１２９が形成されている。
【００１５】
左右の縦枠１３、１３は左右対称形に形成されているので、一方側についてのみ説明する。
縦枠１３は、側端面の上下方向に端面側が小さく奥部側が大きく形成された横向き台形状の連結用嵌合溝１３１を有する基部１３０と、基部１３０の奥部側に形成された表面板側支持突部１３３と、表面板側支持突部１３３の内部の上下方向に円形空洞部を有し、円形空洞部の上下端部を左右の上下のコーナー金具２、２との連結孔１３４、１３４とした連結用突条１３５より構成され、基部１３０と表面板側支持突部１３３、連結用突条１３５０にて形成された空洞の上下端部を、上側のコーナー金具２の一部および下側のコーナー金具２の一部が圧入嵌合する圧入嵌入孔１３６、１３６としている。
【００１６】
左右上下のコーナー金具２・・・は、上枠１１、下枠１２、左右の縦枠１３、１３の各端部を互いに連結する際、上下及び左右対称に同一のものが各角部に配置、使用されている。
ここでは、上枠１１と左右の縦枠１３、１３のうち一方の縦枠１３の上端とを連結する上側のコーナー金具２について説明する。
すなわち、上側のコーナー金具２は、端部に縦枠１３の連結用嵌合溝１３１と同形の嵌合切り欠き部２１を有するコーナー基板２３と、コーナー基板２３の下面より下方に突出し、前記縦枠１３の上側の圧入嵌入孔１３６に圧入嵌合する縦枠圧入嵌合突部２４と、コーナー基板２３から突出し、前記上枠１１の圧入嵌合孔１１６に圧入嵌合する上下枠圧入嵌合突部２５と、コーナー基板２３の上面より上方に突出し、表裏両側にスライド凹溝２７、２７を有する支持突条２６より構成され、コーナー基板２３には、縦枠１３の連結孔１３４に対応して、貫通孔２０が形成されている。
【００１７】
そして、間仕切りパネル１が他の間仕切りパネル１、あるいは、ロックユニット５等と連結されない場合は、コーナー金具２にコーナーキャップ２８が取付けられる。
すなわち、コーナーキャップ２８は、縦枠１３の連結孔１３４およびコーナー金具２の貫通孔２０に対応して、取付け孔２８０が形成され、支持突条２６に外嵌し、連結用嵌合溝１３１、及び、嵌合切り欠き部２１の上端面を隠蔽する。
又、下枠１２と左右の縦枠１３、１３の下端とを連結する下側のコーナー金具２として使用される場合には、上下枠圧入嵌合突部２５０に形成されたアジャスター取付用螺孔２９に、下枠１２のアジャスター取付孔１２９を貫通したアジャスター２００（又は、固定キャスター３００）が螺合して使用される。
一方、スライド凹溝２７、２７には受け部材２０１がスライド自在に取付けられる。
【００１８】
そして、左右の縦枠１３、１３の上下圧入嵌入孔１３６、１３６に上下のコーナー金具２、２の縦枠圧入嵌合突部２４、２４を圧入嵌合させ、上下枠１１、１２の上下の圧入嵌合孔１１６、１２６に上下のコーナー金具２、２の上下枠圧入嵌合突部２５、２５を圧入嵌合させて、それぞれを互いに連結することにより基枠が構成され、基枠の表裏両面に、ペーパーハニカム材１５を介して表面板１６・・・を圧着する事により、間仕切りパネル１が構成される。
上記の如く構成された複数枚の間仕切りパネル１・・・は、コーナーキャップ２８に代わる直線連結金具３０、支柱用直線連結金具、Ｔ字形連結金具、十字形連結金具、Ｌ字形連結金具９、段違い連結金具４０、支柱用端部連結金具９０、及び、支柱５０によって間仕切りパネル１の上部同士が連結され、連結部材３、及び、支柱５０によって下部同士が連結される。
【００１９】
尚、以下の説明では、スライドパネル６が間仕切りパネル１の端部に対して延出する方向を閉鎖側とし、スライドパネル６が間仕切りパネル１の端部に対して退行する方向を開放側とする。
スライドパネル６は、間仕切りパネル１の上下枠１１、１２と、間仕切りパネル１の左右の縦枠１３、１３と、上枠１１、下枠１２、左右の縦枠１３、１３の各端部を連結する間仕切りパネル１と同一のコーナー金具２・・・と、上枠１１と下枠１２と左右の縦枠１３、１３間の表裏両面にペーパーハニカム１５を介して圧着された表面板１６より構成され、下枠１２には、スライドパネル６が間仕切りパネル１と平行に移動するよう、間仕切りパネル１のアジャスター２００、２００に代わって固定キャスター３００、３００が固定されている。
【００２０】
そして、ロックユニット５が取付けられずに使用される場合、スライドパネル６の上下枠１１、１２と左右の縦枠１３、１３を連結するコーナー金具２・・・には、コーナーキャップ２８・・・が取付けられ、さらに、閉鎖側の縦枠１３には、スライドパネル６の移動操作用の把手６０が取付けられている。
すなわち、スライドパネル６は、間仕切りパネル１のアジャスター２００に代わって固定キャスター３００を取付け、さらに、閉鎖側の縦枠１３に把手６０を取付けることによって構成されているので、既設の間仕切りパネル１をスライドパネル６として転用することが可能である。
【００２１】
ロックユニット５（図３参照）は、外枠５１と、外枠５１内に上下動自在に設けられたロック杆５２と、ロック杆５２を上下動させる操作部５３より構成され、コーナーキャップ２８、２８に代わる支柱用端部連結金具９０、９０（詳細は後記する。）をもって、スライドパネル６の開放側端面に着脱自在に連結される。
【００２２】
すなわち、外枠５１は、操作部取付用基板５１１と、操作部取付用基板５１１の前後端部にスライドパネル６側に向かって連設された前後面板５１２、５１３より、スライドパネル６側に上下方向に渡って組み付け用開口５１４を有する横断面略コ字形をなし、外形寸法が支柱５０の外形寸法に一致する大きさに形成されている。
そして、４隅に支柱用端部連結金具９０、９０の嵌入突起９０３・・・が嵌入する嵌入孔５１５・・・と、中央部に支柱用連結孔９０９に対応する外枠連結孔５１６、５１６と、組み付け用開口５１４側に連結脚部９０４の逃し用切欠き５１７、５１７を有する上下閉塞板５１８、５１９が上下端面に固着され、内面上部に案内支持板５２１が固着され、案内支持板５２１に案内保持板５２２が組み付け用開口５１４側からネジ止めされて、ロック杆５２を上下動自在に支持し、後面板５１３の上端部にロック杆５２の上端部が外部に突出するロック杆挿通孔５２３が形成されている。
符号５２４は、案内支持板５２１と同形の補強板を示している。
【００２３】
ロック杆５２は、下端部がロック杆５２の操作部５３にネジ止め連結され、中間部が９０度捻られた状態で案内支持板５２１と案内保持板５２２間に上下動自在に保持され、上部がＬ字形に折り曲げられてロック杆挿通孔５２３より間仕切りパネル１側で上方に突出し、間仕切りパネル１の上端面に取付られたロック座５４に上端部が係脱自在に形成されている。
ロック座５４は、ロック杆５２の上端が下方から嵌入する係止孔５４１と取付孔５４２、５４２を有する取付部５４３より構成され、スライドパネル６が閉鎖状態のときロック杆５２の上方に位置する個所に連結される。
【００２４】
操作部５３は、外面にキー孔が臨み操作部取付用基板５１１に取付けられた錠前５３１と、キーの回動に伴って回動する錠前５３１に設けられた内筒（図示せず）によって上下動する錠前上下杆５３２を有し、錠前上下杆５３２の上端がロック杆５２の下端とネジ止め連結されている。
【００２５】
ロックユニット５は上記の如く構成され、組み付け用開口５１４側を、開放側端部のコーナーキャップ２８、２８を取外したスライドパネル６の開放側端面に組み付け用開口５１４側を密着させた状態を維持しながら、支柱用端部連結金具９０を上下方向から、嵌入突起９０３・・・を上下閉塞板５１８、５１９の嵌入孔５１５・・・に嵌入すると同時に、連結脚部９０４、９０４を逃し用切欠き５１７、５１７、及び縦枠１３の連結用嵌合溝１３１の上下端部に嵌合し、外装部９０１、９０１をコーナー金具２、２の支持突条２６、２６に外嵌し、支柱用連結孔９０９、９０９、連結孔９０５、９０５と、ロックユニット５の外枠連結孔５１６、５１６、縦枠１３の連結孔１３４、１３４を一致させ連結ネジ５００・・・にてスライドパネル６の開放側端面に着脱自在に連結される。
【００２６】
すなわち、スライドパネル６が通常の間仕切りパネル１として使用されている状態から、不意な人の出入りを防ぐ必要のある更衣室等の出入口を開閉するためのパネルとして使用されるようになったときでも、ロックユニット５とロック座５４を後付けすることにより、仮施錠機能を得ることが出来る。
尚、ロックユニット５の操作部５３に錠前５３１を使用し、ロック杆５２を上下動させるにはキーを必要としているが、スライドパネル６が更衣室等の出入口で使用される場合は、通常室内側に配置されるので、室内側の人が操作でき、上昇したロック杆５２が不用意に下降しない構成であればよく、操作部５３の構造は適宜変更可能である。
【００２７】
スライドパネル６（ロックユニット５が連結されたスライドパネル６も同様である。）は、直線的に連結された間仕切りパネル１・・・の端部に位置する間仕切りパネル１に取付けられて使用されるか、あるいは、Ｌ字形に連結された間仕切りパネル１・・・のコーナー部分の間仕切りパネル１に取付けられて使用される。
まず、連結部材３と直線型連結金具３０をもって直線的に連結された間仕切りパネル１、１の端部側の間仕切りパネル１にスライドパネル６が取付られる場合は、上部倒れ止め金具７、下部振れ止め金具８、連結部材３、後記する支柱５０、支柱用端部連結金具９０が使用される。
【００２８】
連結部材３（図７参照）は、縦枠１３の嵌合溝１３１に嵌合する第１嵌合部３１と、第１嵌合部３１と対称形の第２嵌合部３２を有し、上下端部を先細り状となし、所定位置には支柱５０との連結孔３１０が形成され、亜鉛材により所定高さで、横断面鼓形に構成されている。
【００２９】
直線形連結金具３０（図８参照）は、直線的に立設された間仕切りパネル１、１の上側のコーナー金具２の支持突条２６に外嵌し、上コーナー基板２３上に位置する下向きコ字形の外被部３０１と、外被部３０１の中央部下面より下方に突出し、直線的に立設された間仕切りパネル１、１の縦枠１３、１３の嵌合溝１３１、１３１、及び、上嵌合切欠き部２１、２１に嵌合する、前記連結部材３と横断面同形の連結脚体３０２と、直線的に配設された間仕切りパネル１、１の縦枠１３、１３の連結孔１３４に一致する連結孔３０３、３０４を有する連結用筒部３０５、３０６より構成されている。
【００３０】
上部倒れ止め金具７（図２参照）は、スライドパネル６の上端部に上方から外嵌し、スライドパネル６の上端面と所定間隔を有して上方に位置する上方基板７３と、上方基板７３の外側端部が下方に折り曲げられ、スライドパネル６の外側に位置する外側上突壁７１と、外側上突壁７１と所定間隔を有してスライドパネル６の内側に位置し、溶接等にて上方基板７３の下面に下方に突出して設けられた内側上突壁７２と、上方基板７３の間仕切りパネル１側が間仕切りパネル１の上端面上方に延出された上連結用突片７４より構成されている。
【００３１】
そして、上連結用突片７４には、縦枠１３の上側の連結孔１３４と支柱５０の上側の連結孔５０１に一致する倒れ止め金具上連結孔７５、７５が形成されると共に、スライドパネル６上に位置する上方基板７３の一部には、開放側端部が開口するスライド領域調整用きり欠き７３１が形成されている。
そして、外側上突壁７１と内側上突壁７２の内面には、スライドパネル６の円滑な移動を補助する滑り部材７６、７６が貼付けられている。
【００３２】
下部振れ止め金具８（図２参照）は、スライドパネル６の下端部に下方から外嵌して固定キャスター３００、３００間に位置し、スライドパネル６の下端面と所定間隔を有して下方に位置する下方基板８３と、下方基板８３の内側と外側の端部が上方に折り曲げられ、スライドパネル６の内側と外側に位置する内外側下突壁８１、８２からなる上向きコ字形の下部倒れ止め部材８４と、下部倒れ止め部材８４の下方基板８３の下面に溶接等にて連結され、間仕切りパネル側１の下面に延出された下連結部材８５より構成され、下連結部材８５には縦枠１３の下側の連結孔１３４と支柱５０の下側の連結孔５０１に一致する倒れ止め金具下連結孔８６、８６が形成されている。
そして、外側下突壁８１と内側下突壁８２の内面には、スライドパネル６の円滑な移動を補助する滑り部材８７、８７が貼付けられている。
【００３３】
支柱５０（図１２参照）は、間仕切りパネル１のアジャスター２００・・・を除いた高さとほぼ同じ高さで、アルミの押出し成形によって四角柱状となし、上下端部には、支柱用直線連結金具、Ｔ字形連結金具、十字形連結金具、Ｌ字形連結金具９、支柱用端部連結金具９０等との連結孔５０１、５０１とする補強リブが内部に形成され、隅部の空洞上下端部を後述するＬ字形連結金具９等の嵌入突起９３等が嵌入する上下嵌入孔５０３・・・となし、四角柱状の４側端面には上下方向に渡って、縦枠１３の嵌合溝１３１と同形の支柱嵌合溝５０４・・・が形成され、下端面には連結部材３の落止め防止部材５０５が下側の連結孔５０１を利用してネジ止めされている。
【００３４】
支柱用端部連結金具９０（図１０参照。支柱用端部連結金具９０は、前述したようにロックユニット５とスライドパネル６を連結するときにも使用されるが、後記する高さの異なる間仕切りパネル１・・・を直線形、Ｔ字形、十字形に連結するときも、段違い連結金具４０とともに使用される。）は、上側のコーナー金具２の支持突条２６に外嵌する下向きコ字形の外装部９０１と、支柱５０の上面に位置する閉塞部９０２と、閉塞部９０２の４隅下面から下方に突出し、支柱５０の上嵌入孔５０３・・・に嵌入する嵌入突起９０３・・・と、外装部９０１と閉塞部９０２の連続部分の下面から下方に突出し、縦枠１３の嵌合溝１３１、と支柱５０の支柱嵌合溝５０４に嵌合する連結部材３と横断面同形の連結脚部９０４と、縦枠１３の連結孔１３４に一致する連結孔９０５を有する連結用筒部９０７と、閉塞部９０２の中央に形成された支柱５０の連結孔５０１に対応する支柱用連結孔９０９より構成されている。
【００３５】
連結部材３と、直線型連結金具３０と、上部倒れ止め金具７と、下部振れ止め金具８と、支柱５０と、支柱用端部連結金具９０は上記の如く構成されている。
そして、直線的に連結された複数枚の間仕切りパネル１・・・の端部の間仕切りパネル１にスライドパネル６を連結する時は、直線連結状態から取外した間仕切りパネル１の閉鎖側端部のコーナーキャップ２８、受け部材２０１を取外し、コーナーキャップ２８、受け部材２０１が取外された縦枠１３に、落止め防止部材５０５を取外した支柱５０を当接させて、支柱用端部連結金具９０の連結脚部９０４を縦枠１３の下側の嵌合溝１３１と支柱５０の下側の支柱嵌合溝５０４に嵌入し、外装部９０１を下側のコーナー金具２の支持突条２６に外嵌し、同時に、嵌入突起９０３・・・を支柱５０の下嵌入孔５０３・・・に嵌入し、縦枠１３の下側の連結孔１３４と支柱５０の下側の連結孔５０１に、連結孔９０５と支柱用連結孔９０９を一致させ、さらに、下部倒れ止め部材８４を上向きの状態で、振れ止め金具下連結孔８６、８６を、支柱５０の連結孔５０１、支柱用連結孔９０９、連結孔９０５、縦枠１３の連結孔１３４と一致させ、連結ネジ５００・・・にて下部振れ止め金具８、支柱用端部連結金具９０、支柱５０と間仕切りパネル１の下端部を連結する。
【００３６】
次に、既に他の間仕切りパネル１と連結されている間仕切りパネル１の端部に、支柱５０の下端部を連結した間仕切りパネル１の開放側端部を連結部材３、直線形連結金具３０等にて連結し（詳細は後記する。）、間仕切りパネル１を立設する。
【００３７】
そして、下部振れ止め金具８の内外側下突壁８１、８２間に、上方より固定キャスター３００、３００間のスライドパネル６の下端部を嵌入し、さらに、別の支柱用端部連結金具９０の連結脚部９０４を縦枠１３の上側の嵌合溝１３１、支柱５０の上側の支柱嵌合溝５０４に上端より嵌入し、外装部９０１を上側のコーナー金具２の支持突条２６に外嵌し、
同時に、嵌入突起９０３・・・を支柱５０の下嵌入孔５０３・・・に嵌入して、縦枠１３の連結孔１３４と支柱５０の連結孔５０１に、支柱用端部連結金具９０の連結孔９０５と支柱用連結孔９０９を一致させ、さらに、上部倒れ止め金具７を下向きの状態で、外側上突壁７１と内側上突壁７２間にスライドパネル６の上端部が位置するように、金具上連結孔７５０、７５０を支柱５０の連結孔５０１、支柱用連結孔９０９、連結孔９０５、縦枠１３の連結孔１３４を一致させ、連結ネジ５００・・・にて上部倒れ止め金具７、支柱用端部連結金具９０、支柱５０と間仕切りパネル１の上端部を連結する事により、スライドパネル６を間仕切りパネル１に対して移動自在に支持する。
尚、間仕切りパネル１は、スライドパネル６の高さに対応するため、アジャスター２００を調整することにより高くされている。
この時、上部倒れ止め金具７の上方基板７３とスライドパネル６の上枠１１間、および、スライドパネル６の下枠１２と下部振れ止め金具８の下方基板８３間に所定の間隙が形成されるので、この間隙によって、スライドパネル６が開閉方向へ移動したときに床面の傾斜、凹凸によってスライドパネル６が上下動しても、スライドパネル６と上部倒れ止め金具７の上方基板７３、下部振れ止め金具８の下方基板８３とは干渉することがなく、スムーズな摺動状態が得られる。（これは、Ｌ字形に連結された間仕切りパネル１、１にスライドパネル６を取付けた時も同様である。）
【００３８】
そして、スライドパネル６が開閉方向に移動した際、下部振れ止め金具８の開閉側端部にキャスター３００、３００の内面側（固定キャスターの取付けボルト内面側）が当接して停止すると同時に、上部倒れ止め金具７のスライド領域調整用きり欠き７３１の閉鎖側端面と開放側端部に当接するよう、閉鎖用上部ストッパー６１１と、開放用上部ストッパー６１２をスライドパネル６の上端面に着脱自在に取付ける。
【００３９】
次に、スライドパネルを閉鎖位置まで移動させ、操作部５３を施錠状態に操作して、ロック杆５２を上方に移動した状態（図５の二点鎖線で示す状態）とし、ロック座５４の係止孔５４１内に上方に移動したロック杆５２の上端を位置せしめて、ロック座５４を間仕切りパネル１の上枠１１の上面に連結ネジ５００、５００にて着脱自在に連結する。
尚、実施例では、開放時には、一方の固定キャスター３００が下部振れ止め金具８に当接した状態で、開放用上部ストッパー６１２が上部振れ止め金具７の閉鎖側端部に当接して、また、閉鎖時には、他方の固定キャスター３００が下部振れ止め金具８に当接した状態で、閉鎖用上部ストッパー６１１が上部振れ止め金具７の開放側端部に当接するようにスライドパネル６の移動幅を設定しているが、閉鎖用上部ストッパー６１１をより閉鎖側に設け、開放用上部ストッパー６１２をより開放側に設ければ、スライドパネル６の移動幅を小さくする方向に設定を変更することが可能であり、これに対応してロック座５４の取付位置を選択すればよい。
【００４０】
尚、間仕切りパネル１、１同士を直線的に連結する場合は、まず、一方の間仕切りパネル１の下側のコーナー金具２の受け部材２０１を間仕切りパネル１の外方側へスライドさせて縦枠１３の嵌合溝１３１の下端部を閉塞状態として、次に、該間仕切りパネル１の縦枠１３の嵌合溝１３１の上方から連結部材３の第１嵌合部３１を嵌合させて下方に移動し、連結部材３の下面を受け部材２０１に当接させて、間仕切りパネル１の外方に連結部材３の第２嵌合部３２が突出した状態とする。
次に、他方の間仕切りパネル１の下側のコーナー金具２の受け部材２０１を下枠１２の端部側へスライドさせて縦枠１３の嵌合溝１３１の下端部を開口状態として、該間仕切りパネル１をやや持ち上げた状態で、上記間仕切りパネル１から突出した連結部材３の第２嵌合部３２に嵌合溝１３１の下端を上方から嵌合させ、アジャスター２００・・・が床面に当接した状態で、間仕切りパネル１、１の下端部を連結する。
次に、直線形連結金具３０の連結脚体３０２を向かい合った縦枠１３、１３の嵌合溝１３１、１３１の上方より嵌合させて、上側のコーナー金具２、２の支持突条２６、２６に外被部３０１を外嵌させて、連結孔３０３、３０４を縦枠１３、１３の連結孔１３４、１３４と一致させ、連結ネジ５００・・・にて間仕切りパネル１、１の上端部を連結することによって、間仕切りパネル１、１を直線的に連結する。
【００４１】
一方、連結部材３と支柱５０とＬ字形連結金具９をもって同じ高さの間仕切りパネル１、１がＬ字形に連結されたコーナー部分の間仕切りパネル１にスライドパネル６を連結する時は、上部倒れ止め金具７、下部振れ止め金具８、連結部材３、支柱５０、支柱用端部連結金具９０、Ｌ字形連結金具９が使用される。
尚、連結部材３、支柱５０、上部倒れ止め金具７、下部振れ止め金具８、支柱用端部連結金具９０は前述した構成と同一であるので、Ｌ字形連結金具９について説明する。
【００４２】
Ｌ字形連結金具９は、Ｌ字形に配設された２枚のパネル１、１の上側のコーナー金具２、２の支持突条２６、２６に外嵌し、コーナー部分が支柱５０の上面に位置する下向きコ字形で平面視Ｌ字形の外装部９１、９１と、外装部９１、９１間で支柱５０の上端面を覆う閉塞部９２と、閉塞部９２の４隅の下面から下方へ突出し、支柱５０の上嵌入孔５０３・・・に嵌入する嵌入突起９３・・・と、閉塞部９２と外装部９１、９１連続部分の下面から下方に突出し、嵌合切り欠き部２１、２１、縦枠１３、１３の嵌合溝１３１、１３１、および、支柱５０の支柱嵌合溝５０４、５０４に嵌合し、連結部材３と横断面が同形の連結脚部９４、９４と、縦枠１３、１３の連結孔１３４、１３４に一致する連結孔９５、９６を有する連結用筒部９７、９８と、閉塞部９２の中央に形成された支柱５０の連結孔５０１に対応する連結孔９９より構成されている。
【００４３】
Ｌ字形連結金具９は上記の如く構成され、Ｌ字形に連結された間仕切りパネル１、１の一方側にスライドパネル６を取付けるときは、先ず、コーナー部分の間仕切りパネル１、１を他方の間仕切りパネル１から取外す。（尚、同じ高さの間仕切りパネル１、１のみをＬ字形に連結する場合は後述する。）
次に、取外された間仕切りパネル１、１の下部振れ止め金具８が取付られる側の間仕切りパネル１の閉鎖側端部に、直線的に連結された間仕切りパネル１に下部振れ止め金具８を取付ける作業と同様にして、支柱５０、下部振れ止め金具８を連結する。
【００４４】
次に、既に他の間仕切りパネル１と連結されている間仕切りパネル１の端部に、支柱５０の下端部が連結された間仕切りパネル１の端部とは反対側の端部を連結部材３、直線連結金具３０等にて連結し、間仕切りパネル１、１を立設する。
次に、間仕切りパネル１に対して９０度をなす方向の支柱嵌合溝５０４の上方から、連結部材３の第１嵌合部３１を嵌入し、連結部材３の下端面を支柱５０の下端に取付けた支柱用端部連結金具９０に当接させ、支柱５０の下端部側面から連結部材３の第２嵌合部３２が突出した状態とする。
【００４５】
そして、下側のコーナー金具２の受け部材２０１を下枠１２の端部側へスライドさせて、縦枠１３の嵌合溝１３１の下端部が開口した状態として、取外された一方の間仕切りパネル１をやや持ち上げた状態で縦枠１３の嵌合溝１３１の下端部を上記支柱５０から突出している連結部材３の第２嵌合部３２に上方から嵌合させる。
そして、アジャスター２００を床面に当接させた状態で下枠１２の端部側にスライドさせていた受け部材２０１を支柱５０側にスライドさせて連結部材３の第２嵌合部３２の下面に受け部材２０１を位置せしめ、一方の間仕切りパネル１に対し、支柱５０を介して、他の間仕切りパネル１の下端部同士をＬ字形に連結する。
次に、下部振れ止め金具８の内外側下突壁８１、８２間の上方より、スライドパネル６の固定キャスター３００、３００間の下端部を嵌入する。
【００４６】
そして、この状態を状態を維持しながら、Ｌ字形連結金具９の連結脚部９４、９４を縦枠１３、１３の上側の嵌合溝１３１、１３１と支柱５０の上側の支柱嵌合溝５０４、５０４に嵌合させると同時に、嵌入突起９３・・・を支柱５０の上嵌入孔５０３・・・に嵌入させ、外装部９１、９１を上側のコーナー金具２、２の支持突条２６、２６に外嵌させ、連結孔９５、９６、連結孔９９を、縦枠１３、１３の上側の連結孔１３４、１３４、及び支柱５０の上側の連結孔５０１に一致させ、さらに、上部倒れ止め金具７の外側上突壁７１と内側上突壁７２間にスライドパネル６の上端部が位置する向きで、金具上連結孔７５０、７５０をＬ字形連結金具９の連結孔９５、９６、連結孔９９に一致させ、連結ネジ５００・・・にてＬ字形連結金具９、支柱５０、間仕切りパネル１、１、上部倒れ止め金具７を連結する。
【００４７】
この時、上部倒れ止め金具７の上方基板７３とスライドパネル６の上枠１１間、および、スライドパネル６の下枠１２と下部振れ止め金具８の下方基板８３間に所定の間隙が形成される。
そして、スライドパネル６が開閉方向に移動した際、下部振れ止め金具８の開閉側端部にキャスター３００、３００の内面側（固定キャスターの取付けボルト内面側）が当接して停止すると同時に、上部倒れ止め金具７のスライド領域調整用きり欠き７３１の閉鎖側端面と開放側端部に当接するよう、閉鎖用上部ストッパー６１１と、開放用上部ストッパー６１２をスライドパネル６の上端面に着脱自在に取付ける。
次に、スライドパネルを閉鎖位置までスライドさせ、操作部５３を施錠状態に操作して、ロック杆５２を上方に移動した状態（図５の仮想線で示す状態）とし、ロック座５４の係止孔５４１内に上方に移動したロック杆５２の上端を位置せしめて、ロック座５４を間仕切りパネル１の上枠１１の上面にネジ止め連結する。
【００４８】
尚、同じ高さの間仕切りパネル１、１をＬ字形に連結する場合は、連結部材３の第１嵌合部３１を支柱５０の支柱嵌合溝５０４の上方から嵌合させた後に下方に移動させ、連結部材３の下端面を落止め防止部材５０５に当接した状態で、連結孔３１０を利用して、連結部材３の第２嵌合部３２が支柱５０の下端部側面から外方に突出した状態にネジ等によって固定する。
次に、下側のコーナー金具２の受け部材２０１を下枠１２の端部側へスライドさせて縦枠１３の嵌合溝１３１の下端部が開口した状態の間仕切りパネル１をやや持ち上げて、上記支柱５０から突出した連結部材３の第２嵌合部３２に嵌合溝１３１の下端を嵌合させ、アジャスター２００・・・を床面に当接させた状態で間仕切りパネル１の下端部と支柱５０の下端部とを連結する。
【００４９】
次に、連結された間仕切りパネル１と９０度をなす支柱嵌合溝５０４の上方から、別の連結部材３の第１嵌合部３１を嵌合させた後に下方に移動させて、連結部材３の下端面を落止め防止部材５０５に当接させ、支柱５０の下端部側面から連結部材３の第２嵌合部３２が突出した状態とする。（図１２に示す状態。）
そして、下側のコーナー金具２の受け部材２０１を下枠１２の端部側へスライドさせて縦枠１３の嵌合溝１３１の下端部を開口状態とした別の間仕切りパネル１をやや持ち上げた状態で、上記支柱５０から突出した連結部材３の第２嵌合部３２に上方から嵌合溝１３１を嵌合させ、アジャスター２００を床面に当接させた状態で、下枠１２の端部側へスライドさせていた受け部材２０１を支柱５０側にスライドさせ、連結部材３の第２嵌合部３２の下面に受け部材２０１を位置せしめ、一方の間仕切りパネル１と別の間仕切りパネル１の下端部とが支柱５０を介してＬ字形に連結される。
【００５０】
次に、Ｌ字形連結金具９の連結脚部９４、９４を縦枠１３、１３の連結用嵌合溝１３１、１３１と支柱５０の支柱嵌合溝５０４、５０４に嵌合すると同時に、嵌入突起９３・・・を支柱５０の上嵌入孔５０３・・・に嵌合し、外装部９１を上側のコーナー金具２、２の支持突条２６、２６に外嵌させ、連結用筒部９７、９８の連結孔９５、９６、及び、連結孔９９を、縦枠１３、１３の連結孔１３４、１３４、及び支柱５０の連結孔５０１の上側に一致させ、Ｌ字形連結金具９、支柱５０、間仕切りパネル１、１の上端部を連結ネジ５００・・・にて連結する。
以上のようにして、支柱５０を介して、一方の間仕切りパネル１に対して他方の間仕切りパネル１がＬ字形に連結される。
【００５１】
次に、連結部材３と支柱５０と段違い連結金具４０と、支柱用端部連結金具９０をもって異なる高さの間仕切りパネル１、１がＬ字形に連結されたコーナー部分の高さの高い方の間仕切りパネル１にスライドパネル６を連結する時は、上部倒れ止め金具７、下部振れ止め金具８、連結部材３、支柱５０と、支柱用端部連結金具９０と、段違い連結金具４０が使用される。
尚、連結部材３、支柱５０、上部倒れ止め金具７、下部振れ止め金具８、支柱用端部連結金具９０は前述した構成と同一であるので、段違い連結金具４０について説明する。
【００５２】
段違い連結金具４０は、間仕切りパネル１の上側のコーナー金具２の支持突条２６に外嵌し、コーナー基板２３上に位置する下向きコ字形の外被部４０１と、外被部４０１の支柱５側端部側下面より下方に突出し、外被部４０１より外方に突出した部分が支柱５の支柱嵌合溝５４に嵌合し、外被部４０１側の下方が間仕切りパネル１の縦枠１３の嵌合溝１３１に嵌合する前記連結部材３と横断面同形の連結脚体４０２と、間仕切りパネル１の縦枠１３の上側の連結孔１３４に対応する連結孔４０３より構成されている。
【００５３】
そして、Ｌ字形に連結された高さの異なる間仕切りパネル１、１の高さの高い方の間仕切りパネル１側にスライドパネル６を取付けるときは、先ず、コーナー部分の間仕切りパネル１、１を他方の間仕切りパネル１から取外す。（尚、高さの異なる間仕切りパネル１、１同士をＬ字形に連結する場合は後述する。）
次に、Ｌ字形に連結された同じ高さの間仕切りパネル１の場合と同様の作業にて、取外された間仕切りパネル１の高さの高い方の間仕切りパネル１の閉鎖側端部に、下部振れ止め金具８を取付けた状態で、高さの低い方の間仕切りパネル１の下端部をＬ字形に連結する。
【００５４】
次に、高さの低い方の間仕切りパネル１側の支柱嵌合溝５４の上端より、段違い連結金具４０の連結脚体４０２の支柱５０側の部分を嵌合させて下方に移動し、連結脚体４０２の外被部４０１側の部分を高さの低い方の間仕切りパネル１の縦枠１３の嵌合溝１３１に嵌合させると同時に、上側のコーナー金具２の支持突条２６に外被部４０１を外嵌させ、高さの低い方の間仕切りパネル１の縦枠１３の連結孔１３４の上側に連結孔４３を一致させて、連結孔４３に連結ネジ５０を螺入させることによって、高さの低い方の間仕切りパネル１と支柱５０とを連結する。
次に、段違い連結金具４０の連結脚体４０２が嵌合している支柱嵌合溝５４の上方から棒状の上り止め部材４００を挿入する。
ここで、上り止め部材４００は下端を連結脚体４０２の支柱５０側の上面に当接させた状態で、上端を支柱５０の上面と面一になるようにする。
【００５５】
次に、下部振れ止め金具８の内外側下突壁８１、８２間の上方より、スライドパネル６の固定キャスター３００、３００間の下端部を嵌入する。
そして、この状態を維持しながら高さが高い方の間仕切りパネル１の縦枠１３の嵌合溝１３１、及び、支柱５０の支柱嵌合溝５０４の上端部に支柱用端部連結金具９０の連結脚部９０４を嵌合させながら、同時に、嵌入突起９０３・・・を支柱５０の上嵌入孔５０３・・・に嵌入させ、外装部９０１を上側のコーナー金具２の上支持突条２６に外嵌し、縦枠１３の連結孔１３４には連結孔９０５を一致させ、支柱５０の連結孔５０１には支柱用連結孔９０９を一致させ、さらに、上部倒れ止め金具７の外側上突壁７１と内側上突壁７２間にスライドパネル６の上端部が位置する向きで、金具上連結孔７５、７５を支柱用端部連結金具９０の連結孔９０５、支柱用連結孔９０９に一致させ、連結ネジ５００・・・にて支柱用端部連結金具９０、支柱５０、間仕切りパネル１、１、上部倒れ止め金具７を連結する。
【００５６】
この状態で、棒状の上り止め部材９０６の上端は、支柱用端部連結金具９０の外装部９０１の下面で閉塞されるので、上方に抜け出すことがなく、結果として、高さの低い方の間仕切りパネル１は、支柱５に対して上方に移動することはない。
そして、上部倒れ止め金具７の上方基板７３とスライドパネル６の上枠１１間、および、スライドパネル６の下枠１２と下部振れ止め金具８の下方基板８３間に所定の間隙が形成される。
そして、スライドパネル６が開閉方向に移動した際、下部振れ止め金具８の開閉側端部にキャスター３００、３００の内面側（固定キャスターの取付けボルト内面側）が当接して停止すると同時に、上部倒れ止め金具７のスライド領域調整用きり欠き７３１の閉鎖側端面と開放側端部に当接するよう、閉鎖用上部ストッパー６１１と、開放用上部ストッパー６１２をスライドパネル６の上端面に着脱自在に取付ける。
【００５７】
次に、スライドパネルを閉鎖位置までスライドさせ、操作部５３を施錠状態に操作して、ロック杆５２を上方に移動した状態（図５の二点鎖線で示す状態）とし、ロック座５４の係止孔５４１内に上方に移動したロック杆５２の上端を位置せしめて、ロック座５４を間仕切りパネル１の上枠１１の上面にネジ止め連結する。
【００５８】
尚、高さの異なる間仕切りパネル１、１をＬ字形に連結する場合は、まず、同じ高さの間仕切りパネル１、１をＬ字形に連結する手順で、間仕切りパネル１と支柱５０、連結部材３を連結し、次に、この連結部材３によって高さの低い方の間仕切りパネル１の下端部と支柱５０とを連結させて、高さの異なる間仕切りパネル１、１の下端部同士を、支柱５０を介して、Ｌ字形に連結させる。
【００５９】
次に、高さの低い方の間仕切りパネル１側の支柱嵌合溝５０４の上端より、段違い連結金具４０の連結脚体４０２の支柱５０側の部分を嵌合させて下方に移動し、連結脚体４０２の外被部４０１側の部分を高さの低い方の間仕切りパネル１の縦枠１３の嵌合溝１３１に嵌合させると同時に、上側のコーナー金具２の上支持突条２６に外被部４０１を外嵌させ、高さの低い方の間仕切りパネル１の縦枠１３の連結孔１３４の上側に連結孔４０３を一致させて、連結孔４０３に連結ネジ５０を螺入させることによって、高さの低い方の間仕切りパネル１と支柱５とを連結する。
次に、段違い連結金具４０の連結脚体４０２が嵌合している支柱嵌合溝５０４の上方から棒状の上り止め部材９０６を挿入する。
ここで、上り止め部材９０６は、下端を連結脚体４０２の支柱５０側の上面に当接させた状態で、上端は支柱５の上面と面一になるようにする。
【００６０】
次に、高さが高い方の間仕切りパネル１の縦枠１３の嵌合溝１３１、及び、支柱５０の支柱嵌合溝５０４の上端部に支柱用端部連結金具９０の連結脚部９０４を嵌合させながら、同時に、嵌入突起９０３・・・を支柱５０の上嵌入孔５０３・・・に嵌入させ、外装部９０１を上側のコーナー金具２の支持突条２６に外嵌し、縦枠１３の連結孔１３４には連結連結孔９０５を一致させ、支柱５０の連結孔５０１には支柱用連結孔９０９を一致させて、連結ネジ５００・・・を螺入させることによって、高さが高い方の間仕切りパネル１と支柱５の上端部を連結する。
【００６１】
この状態で、棒状の上り止め部材９０６の上端は、支柱用端部連結金具９０の外装部９０１の下面で閉塞されるので、上方に抜け出すことがなく、結果として、高さの低い方の間仕切りパネル１は、支柱５０に対して上方に移動することはない。
【図面の簡単な説明】
【００６２】
【図１】間仕切りパネルにロックユニットを有するスライドパネルを取付けたの斜視図
【図２】本発明の要部分解斜視図
【図３】ロックユニットの斜視図
【図４】スライドパネルの支持状態を示す要部拡大断面図
【図５】スライドパネルの仮施錠状態を示す要部拡大斜視図
【図６】間仕切りパネルの基枠の一部分解斜視図
【図７】連結部材の斜視図
【図８】直線形連結金具の斜視図
【図９】Ｌ字形連結金具の斜視図
【図１０】支柱用端部連結金具の斜視図
【図１１】段違い連結金具の斜視図
【図１２】同一高さの間仕切りパネル同士をＬ字形に連結した場合の要部分解斜視図
【図１３】高さの異なる間仕切りパネル同士を段違いにＬ字形に連結した場合の要部分解斜視図
【符号の説明】
【００６３】
１            間仕切りパネル
２            コーナー金具
２００        アジャスター
３            連結部材
３０          直線連結金具
３００        固定キャスター
４０          段違い連結金具
５            ロックユニット
５０          支柱
５１          外枠
５２          ロック杆
５３          操作部
５４          ロック座
６            スライドパネル
６１１        閉鎖用上部ストッパー
６１２        開放用上部ストッパー
７            上部倒れ止め金具
８            下部振れ止め金具
９            Ｌ字形連結金具
９０          支柱用端部連結金具
【図１】
2005127076.tif 000003
【図２】
2005127076.tif 000004
【図３】
2005127076.tif 000005
【図４】
2005127076.tif 000006
【図５】
2005127076.tif 000007
【図６】
2005127076.tif 000008
【図７】
2005127076.tif 000009
【図８】
2005127076.tif 000010
【図９】
2005127076.tif 000011
【図１０】
2005127076.tif 000012
【図１１】
2005127076.tif 000013
【図１２】
2005127076.tif 000014
【図１３】
2005127076.tif 000015